(57)【要約】【課題】電磁波に対するシールド性が高められた密封装置および密封構造を提供する。【解決手段】筐体３の内部から外部に引き出される柔軟性を有する平たい伝導部材１に一体化され、伝導部材１と筐体３における伝導部材１の挿通部との間の隙間を封止する導電性を有するシール部材２を備える密封装置において、伝導部材１は、配線が施されたベース層の表面を保護する保護層の上に電磁波シールド層１１が積層され、電磁波シールド層１１の上に絶縁層１２が積層されるとともに、絶縁層１２が電磁波シールド層１１の平面部の一部を露出する開口部１２ａを有し、シール部材２は、開口部１２ａを覆うように伝導部材１に一体化されるとともに、開口部１２ａを介して電磁波シールド層１１と接触することを特徴とする。【選択図】図４
2010084832.tif 000002
【特許請求の範囲】
【請求項１】
筐体の内部から外部に引き出される柔軟性を有する平たい伝導部材に一体化され、前記伝導部材と前記筐体における前記伝導部材の挿通部との間の隙間を封止する導電性を有するシール部材を備える密封装置において、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする密封装置。
【請求項２】
柔軟性を有する平たい伝導部材と、
該伝導部材が挿通される挿通部を有する筐体と、
前記伝導部材と前記挿通部との間の隙間を封止する導電性を有するシール部材と、を備え、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする密封構造。
【請求項３】
柔軟性を有する平たい伝導部材と、
蓋部と該蓋部が接合される本体部とから構成される筐体と、
前記蓋部と前記本体部の接合面に取り付けられて該接合面を封止するとともに、前記伝導部材を前記筐体の内部から外部に引き出すための挿通部を形成する導電性を有するシール部材と、
を備え、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする密封構造。
【発明の詳細な説明】
【技術分野】
【０００１】
本発明は、柔軟性を有する平たい伝導部材に導電性を有するシール部材が一体化された密封装置および密封構造に関するものである。
【背景技術】
【０００２】
自動車や屋外に置かれる電子機器、粉塵の多い環境下で使用される電子機器には、筐体の蓋部と本体との隙間、電源線等の配線部と筐体との隙間、または複数の筐体間の接合部における隙間などにおいて、外部から水やほこりの侵入を防ぐ、ガスケットやグロメット等のシール部品が必要となる。また、配線部には、自動車や電子機器等の省スペース化、軽量化に伴って、ＦＰＣ（フレキシブル配線基板）を使用するケースが増大することが見込まれている。ＦＰＣを使用する箇所をシールする場合、シール部品をＦＰＣに一体化することによって配線部でのシール性を確保することが行われている。
【０００３】
一方、近年では各種産業分野において電子機器に対するＥＭＣ（electromagnetic compatibility）規制が厳しくなっており、回路、筐体、システムの総括的なＥＭＣ対策が求
められている。ここで、筐体におけるＥＭＣ対策としては、電磁波の放射および侵入を防ぐ電磁波シールドが有効な対策の１つとして知られている。しかし、シール部品が導電性を持たない場合、シール部品の取付部に電気的な隙間が生じてしまい、そこからの電磁波の放射および侵入を防ぐことができない。
【０００４】
特許文献１では、ケーシングの蓋部と筐体部の接合面をシールするガスケットに導電性を持たせることで、蓋部と筐体部とを電気的に接続し、ケーシング全体に電磁波シールドを形成している。しかし、ケーシング内部から外部に引き出されるＦＰＣの電磁波シールド層の表面は、表面保護と電気的絶縁のための保護膜で覆われているため、ＦＰＣの電磁波シールド層とケーシングとの間に十分な電気的接続を形成することができない。そのため、例えば、シールド層がアンテナとなって２次的な電磁波の放射を生じる等、十分に電磁波をシールドできないおそれがある。
【特許文献１】特開２００３−２６２２７４号公報
【発明の開示】
【発明が解決しようとする課題】
【０００５】
本発明は上記の従来技術の課題を解決するためになされたもので、その目的とするところは、電磁波に対するシールド性が高められた密封装置および密封構造を提供することにある。
【課題を解決するための手段】
【０００６】
上記目的を達成するために、本発明における密封装置は、
筐体の内部から外部に引き出される柔軟性を有する平たい伝導部材に一体化され、前記伝導部材と前記筐体における前記伝導部材の挿通部との間の隙間を封止する導電性を有するシール部材を備える密封装置において、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする。
【０００７】
また、上記目的を達成するために、本発明における密封構造は、
柔軟性を有する平たい伝導部材と、
該伝導部材が挿通される挿通部を有する筐体と、
前記伝導部材と前記挿通部との間の隙間を封止する導電性を有するシール部材と、を備え、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする。
【０００８】
また、上記目的を達成するために、本発明における密封構造は、
柔軟性を有する平たい伝導部材と、
蓋部と該蓋部が接合される本体部とから構成される筐体と、
前記蓋部と前記本体部の接合面に取り付けられて該接合面を封止するとともに、前記伝導部材を前記筐体の内部から外部に引き出すための挿通部を形成する導電性を有するシール部材と、
を備え、
前記伝導部材は、配線が施されたベース層の表面を保護する保護層の上に電磁波シールド層が積層され、該電磁波シールド層の上に絶縁層が積層されるとともに、該絶縁層が前記電磁波シールド層の平面部の一部を露出する開口部を有し、
前記シール部材は、前記開口部を覆うように前記伝導部材に一体化されるとともに、前記開口部を介して前記電磁波シールド層と接触することを特徴とする。
【０００９】
このように、電磁波シールド層を保護する絶縁層に開口部を設けて、電磁波シールド層の平面部の一部がシール部材と接触するように構成することで、伝導部材の電磁波シールド層と筐体との間の電気的な隙間を小さくすることができる。これにより、電気的な隙間の小さい筐体および伝導部材の全体を覆う電磁波シールドを形成することができ、シール部からの電磁波の放射および侵入をより効果的に抑制することができる。
【発明の効果】
【００１０】
以上説明したように、本発明により、電磁波に対するシールド性が高められる。
【発明を実施するための最良の形態】
【００１１】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１２】
（実施例１）
図１〜図４を参照して、本発明の実施例１に係る密封構造について説明する。図１は、伝導部材の構成について説明する模式図であり、（ａ）は伝導部材の平面図、（ｂ）は（ａ）のＡＡ断面図、（ｃ）は（ａ）のＢＢ断面図である。図２は、伝導部材にシール部材が一体化された構成について説明する模式図であり、（ａ）は伝導部材およびシール部材の平面図、（ｂ）は（ａ）のＣＣ断面図、（ｃ）は（ａ）のＤＤ断面図である。図３は、筐体の構成ついて説明する模式的斜視分解図である。図４は、本実施例に係る密封構造の模式的断面図である。
【００１３】
＜伝導部材の構成＞
図１に示すように、伝導部材１は、ＦＰＣ１０の両面に電磁波シールド層１１と絶縁層１２が積層された構成となっている。伝導部材（ＦＰＣ）１は、全体が平たい帯状の部材
となっており、柔軟性を有している。
【００１４】
ＦＰＣ１０は、ポリイミド、ポリアミド、ポリエステル、液晶ポリマー、ポリエチレンナフタレート等の材料からなるベースフィルムの両面に、同材料からなるカバーフィルムが張り合わされており、銅箔によって形成された回路パターンが、ベースフィルムとカバーフィルムとによってサンドイッチされている。
【００１５】
電磁波シールド層１１は、ＦＰＣ１０のカバーフィルムの外側に銀ペーストを用いて積層形成されている。
【００１６】
絶縁層１２は、トップコートと呼ばれるアルキッド樹脂からなる保護膜であり、電磁波シールド層１１の表面保護および電気的絶縁のために形成される。絶縁層１２には、電磁波シールド層１１の上面（平面部）の一部を露出する開口部１２ａが設けられている。
【００１７】
なお、図１（ｃ）に示すように、電磁波シールド層１１は、ＦＰＣ１０の幅よりも狭い範囲に積層形成されており、開口部１２ａ以外の領域では絶縁層１２によって完全に覆われたような状態となる。また、これら電磁波シールド層１１及び絶縁層１２は、本実施例のようにＦＰＣ１０の両面に設ける構成に限られるものではなく、片面のみに設ける構成であってもよい。
【００１８】
＜シール部材の構成＞
図２に示すように、シール部材２は、伝導部材１の長手方向に直交する方向において伝導部材１の一部を全周にわたって包み込むように設けられている。絶縁層１２の開口部１２ａは、シール部材２によって完全に覆われる位置に形成される。
【００１９】
本実施例に係るシール部材２は、導電性を有するゴムまたは樹脂等からなるグロメットであり、図３に示す筐体３において伝導部材１を筐体内部から筐体外部に引き出すための挿通孔（挿通部）３２と、伝導部材１との間の隙間を封止するためのものである。
【００２０】
シール部材２は、固形の導電性ゴムを用いて圧縮成型したり、液状の導電性樹脂材を用いて射出成型することにより伝導部材１に一体成型することができる。あるいは、予め成形されたものを取り付けることにより一体化してもよい。具体的な成形方法は、各種ゴムや樹脂の特徴に合った方法を用いてよい。また、グロメットの成形に使用する金型は、特殊な加工が必要とならないので、比較的安価に作成することができる。
【００２１】
シール部材２は、絶縁層１２の開口部１２ａの形状に対応した凸部２０を有しており、開口部１２ａを介して凸部２０が電磁波シールド層１１に接触している。
【００２２】
シール部材２の上面には、伝導部材１の短手方向に延びる開口部１２の幅よりも狭い溝部２１が設けられている。この溝部２１は、シール部材２が伝導部材１と挿通孔３２との間に装着されたときに挿通孔３２の開口縁部が嵌り込むように構成されている。また、溝部２１は、伝導部材１の長手方向における位置が開口部１２ａが設けられた範囲内となるように設けられている。
【００２３】
このような溝部２１が設けられることにより、凸部２０と開口部１２ａとの密着度が高められ、シール性が向上される。すなわち、凸部２０と開口部１２ａとの間には、一体成型の場合には硬化後のヒケ、後から取り付ける場合には寸法誤差などによって寸法上隙間が形成される場合がある。しかし、このような隙間が生じても、挿通孔３２の開口縁部が溝部２１に嵌り込むことによってシール部材２の凸部２０には伝導部材１の長手方向に拡張するような変形を生じ、かかる隙間を埋めることが可能となる。また、隙間が埋まるこ
とにより、シール部材２と電磁波シールド層１１との接触面積を確実に確保することができる。
【００２４】
＜密封構造の構成＞
図４に示すように、伝導部材１が筐体３の挿通孔３２に挿通されてシール部材２が挿通孔３２と伝導部材１との間に装着されると、筐体３と伝導部材１の電磁波シールド層１１がシール部材２を介して電気的に接続された状態となる。
【００２５】
シール部材２は絶縁層１２の開口部１２ａを介して電磁波シールド層１１に直接接触しており、これにより、伝導部材１の電磁波シールド層１１と筐体３との間の電気的な隙間を小さくすることができる。
【００２６】
したがって、電気的な隙間の小さい筐体３および伝導部材１の全体を覆う電磁波シールドを形成することができ、筐体３のシール部からの電磁波の放射および侵入をより効果的に抑制することができる。
【００２７】
また、電磁波シールド層１１にＦＰＣ１０のグランドラインを接続させてもよい。これにより、グランドラインと筐体３とが電気的に接続され、グランドラインと筐体３との電気的接続状態の形成が容易となる。
【００２８】
（実施例２）
図５を参照して、本発明の実施例２に係る密封装置および密封構造について説明する。図５は、伝導部材にシール部材が一体化された構成について説明する模式図であり、（ａ）は伝導部材およびシール部材の平面図、（ｂ）は（ａ）のＥＥ断面図、（ｃ）は（ａ）のＦＦ断面図である。なお、上記実施例１と同様の構成については同じ符号を付して説明を省略する。
【００２９】
実施例２に係る密封装置は、シール部の構成が上記実施例１と異なっている。実施例２に係るシール部材２ａは、導電性を有するゴムまたは樹脂等からなるガスケットであり、図３に示す筐体３において筐体３の筐体本体３０と蓋部３１との間の接合面３０ａ、３１ａに挟み込まれ、筐体本体３０と蓋部３１との間を封止するとともに、伝導部材１を筐体内部から筐体外部に引き出すための挿通部を形成するためのものである。
【００３０】
シール部材２ａは、上記実施例１に係るシール部材２と同様、固形の導電性ゴムを用いて圧縮成型したり、液状の導電性ゴム材を用いて射出成型することにより伝導部材１に一体成型することができる。あるいは、予め成形されたものを取り付けることにより一体化してもよい。
【００３１】
シール部材２ａの上面（筐体本体３０または蓋部３１との接合面）には、筐体本体３０または蓋部３１との接合方向に向かって突出するビード部２２が、かかる上面全周にわたって設けられている。このビード部２２は、筐体本体３０または蓋部３１との接合によって圧縮されることによりシール性を高めるためのものである。ビード部２２は、開口部１２ａが設けられた範囲内を延びるように設けられている。
【００３２】
このようなビード部２２が設けられることにより、凸部２０と開口部１２ａとの密着度が高められ、シール性が向上される。すなわち、凸部２０と開口部１２ａとの間には、一体成型の場合には硬化後のヒケ、後から取り付ける場合には寸法誤差などによって寸法上隙間が形成される場合がある。しかし、このような隙間が生じても、ビード部２２が圧縮されることによってシール部材２ａの凸部２０には伝導部材１の長手方向に拡張するような変形を生じ、かかる隙間を埋めることが可能となる。また、隙間が埋まることにより、
シール部材２ａと電磁波シールド層１１との接触面積を確実に確保することができる。
【００３３】
本実施例に係る密封構造の構成については、上記実施例１に係る密封構造と同様であり、説明は省略する。
【００３４】
（具体例１）
次に、本発明を具体例について説明する。
【００３５】
本発明の具体例として、幅３０ｍｍ、長さ３００ｍｍ、厚さ０．１５ｍｍのＦＰＣに導電性ゴムを一体成形したグロメットを作成した。ＦＰＣの電磁波シールド層の露出範囲は両面に幅２６ｍｍ、長さ６ｍｍとし、グランドラインは電磁波シールド層に接続した。グロメットの形状は図２に示す形状に基づき、金属筐体のグロメット挿通孔寸法４０×１０ｍｍに対し、シール部の締め代を０．３ｍｍとした。
【００３６】
この形状を基本として作製した金型にＦＰＣをセットし、固形の導電性ゴムを圧縮成型して一体化した。ＦＰＣとゴムの一体化は、ゴムの種類によっても異なるが、一般的には約１３０〜１８０℃で約２〜１０分間程度加硫することにより一体化され、成型される。成型後にバリ部を除去し、ＦＰＣ一体のグロメットを作製した。
【００３７】
得られたグロメットを図４のような金属筐体３のグロメット挿通孔３２に装着し、金属筐体内部からの放射電磁界を測定した。非導電性のグロメットを装着した場合の放射電界強度との差をシールド性とした。その結果、シールド性は３０〜４０ｄＢとなり、電磁波シールド性能が確認できた。また、グランドラインと筐体との間の抵抗値を測定した。その結果、抵抗値が数Ωであり、ＦＰＣのシールド層およびグランドラインと筐体の電気的な接続が確認された。
【図面の簡単な説明】
【００３８】
【図１】図１は、実施例１に係る伝導部材の構成について説明する模式図である。
【図２】図２は、実施例１に係る密封装置の構成について説明する模式図である。
【図３】図３は、筐体の構成ついて説明する模式的斜視分解図である。
【図４】図４は、実施例１に係る密封構造の模式的断面図である。
【図５】図５は、実施例２に係る密封装置の構成について説明する模式図である。
【符号の説明】
【００３９】
１  伝導部材
１０  ＦＰＣ
１１  電磁波シールド層
１２  絶縁層
１２ａ  開口部
２  シール部材
２０  凸部
２１  溝部
３  筐体
【図１】
2010084832.tif 000003
【図２】
2010084832.tif 000004
【図３】
2010084832.tif 000005
【図４】
2010084832.tif 000006
【図５】
2010084832.tif 000007